(57)【要約】    【課題】      無駄な制御を行わず、低消費電力を実現し、かつ、通信品質向上させること。    【解決手段】  通信に使用する無線信号とは別の特定の無線信号を受信し、対象信号検出回路１１３は、ＲＦ回路１１２からの信号を基に、受信装置１００であらかじめ設定している特定の無線信号を検出し、検出信号を対象信号監視回路１１４に通知する。対象信号監視回路１１４は、対象信号検出回路１１３の検出結果とＲＦ回路１１２からの信号を基に、受信装置１００であらかじめ設定している特定の無線信号を監視する。セルサーチ頻度判定回路１１５は、特定の信号が受信できているときはセルサーチの頻度又は受信レベルの測定の頻度を大幅に下げる若しくは全くしない制御を行う。  【選択図】      図１
2007027877.tif 000002
【特許請求の範囲】
【請求項１】
ハンドオーバ先基地局を検索するセルサーチ手段と、
前記基地局との通信に使用する無線信号とは異なる特定の無線信号を受信する受信手段と、
受信した前記特定の無線信号からセルサーチの状態を制御するセルサーチ制御情報を検出する検出手段と、
前記セルサーチ制御情報が検出されたとき、前記セルサーチ手段により実行される周辺セルの検索の頻度を下げる又は停止する制御を行う制御手段と
を備える通信端末装置。
【請求項２】
前記セルサーチ手段は、所定の頻度でセルの受信状態を監視し、
前記制御手段は、前記セルサーチ制御情報が検出されたとき、前記セルサーチ手段により実行されるセルの受信状態を監視する頻度を下げる又は停止する制御を行う請求項１記載の通信端末装置。
【請求項３】
前記特定の無線信号に所定の前記セルサーチ制御情報を設定する設定手段をさらに備える請求項１又は請求項２に記載の通信端末装置。
【請求項４】
ハンドオーバ先基地局を検索するセルサーチ手段と、
前記基地局との通信に使用する無線信号から、特定のスクランブリングコードを検出する検出手段と、
前記特定のスクランブリングコードに基づいて前記セルサーチ手段を制御する制御手段と
を備える通信端末装置。
【請求項５】
前記特定のスクランブリングコードを送信する擬似セルを、特定の領域に設置し、
前記制御手段は、前記擬似セルから送信された特定のスクランブリングコードに基づいてセル削除の制限を含むハンドオーバ制御を行う請求項４記載の通信端末装置。
【請求項６】
前記特定のスクランブリングコードにより付与されるセルサーチ及びハンドオーバ制御内容を設定する設定手段をさらに備える請求項４又は請求項５に記載の通信端末装置。
【請求項７】
ハンドオーバ先基地局を検索するステップと、
前記基地局との通信に使用する無線信号とは異なる特定の無線信号を受信するステップと、
受信した前記特定の無線信号からセルサーチ制御情報を検出するステップと、
前記セルサーチ制御情報が検出されたとき、周辺セルの検索の頻度、若しくはセルの受信状態を監視する頻度を下げる又は停止する制御を行うステップと
を有するハンドオーバ方法。
【請求項８】
ハンドオーバ先基地局を検索するステップと、
特定の領域に設置された擬似セルから送信される特定のスクランブリングコードを検出するステップと、
前記擬似セルから送信された特定のスクランブリングコードに基づいてセル削除の制限を含むハンドオーバ制御を行うステップと
を有するハンドオーバ方法。
【発明の詳細な説明】
【技術分野】
【０００１】
本発明は、移動体通信システムにおける通信端末装置及びハンドオーバ方法に係り、特に、セル探索、セル監視、ハンドオーバ制御の改良に関する。
【背景技術】
【０００２】
セルラ移動通信方式においては、複数のセルにより広範囲のサービスエリアを構成し、このサービスエリア内を移動する移動機が、移動に伴い通信に最適なセルを、適宜選択しながら通信を継続させる。そのために、定期的あるいは必要と判断されたときに、いわゆるセル探索・既知セルの受信状態を監視し、その情報を元に通信を安定的に継続させるためのハンドオーバ制御を行う。
【０００３】
そのセル探索や既知セル受信状態監視を行う頻度は、通信しているセルの受信状態や、自機の移動速度などにより可変に制御するのが一般的である。
【０００４】
図７は、従来の周辺セルサーチ頻度を決定するアルゴリズムの一例を示す図である。ステップＳ１において、例えば、通信中のセルの受信レベルが一定閾値を下回り、他に受信状態の良好なセルが検出できていない場合は、通信断になる可能性が高いため、周辺に存在するかもしれない受信状態が良好な未知セルを検出しようとし、セルサーチの頻度を上げる。また、移動速度が速い場合は、受信状態の良いセルが短時間に替わっていくことが予想され、将来有効になるセルを早期に見つけておくことが、通信断を起こしにくい端末を実現する手段となるため、セルサーチの頻度を上げる。
【０００５】
逆に、受信良好なセルを複数セル検出しており、移動速度も速くない場合は、例え１セルの受信状態が悪くなっても、代替の受信良好なセルが存在している可能性があるので、セル探索の頻度を下げて、消費電流を抑える。
【０００６】
ＣＤＭＡ（Code Division Multiple Access)などの方式のように、通信に使用する通信ＣＨとセル毎の受信レベルを測定するＣＨは異なる場合があるので、通信ＣＨの受信品質を監視し、ある一定期間以上品質が悪いと判定した場合も、セルサーチの頻度を上げる。
【０００７】
ハンドオーバ制御を行うかどうかは、一般的には通信中のセルとそれ以外のセルの受信レベル測定結果を一定のヒステリシスを持たせて比較し、通信中のセルより受信レベルが高くなった場合に、ハンドオーバ制御を行う。
【０００８】
図８は、従来の受信装置のアンテナから復調までの機能を示すブロック図である。
【０００９】
図８において、受信装置１０は、アンテナ１１、ＲＦ回路１２、セルサーチ回路１３、受信レベル測定回路１４、復調回路１５、受信状態監視回路１６、及びセルサーチ頻度判定回路１７を備えて構成される。
【００１０】
セルサーチ回路１３は、セルサーチ頻度判定回路１７からの頻度指定に従い、自機の周辺の未知セル探索を行う。
【００１１】
受信レベル測定回路１４は、図示しない制御部の指示に従って、既知セルの受信状態を測定し、セルサーチ頻度判定回路１７に出力する。
【００１２】
復調回路１５は、図示しない制御部の指示に従って、復調処理を行い、通信チャネルの受信品質を受信状態監視回路１６に出力する。
【００１３】
受信状態監視回路１６は、通信チャネルの受信品質を監視し、セルサーチ頻度判定回路１７に必要な情報を出力する。
【００１４】
セルサーチ頻度判定回路１７は、図７で述べたようなアルゴリズムにより、セルサーチ回路１３に対し頻度指定を行う。
【００１５】
以上の構成において、受信装置１０は、通信中においても、待ち受け中においても、周期的に周辺の未知セル探索を行い、同じく周期的に周辺既知セルの受信状態の監視を行い情報を得、それら情報を元に制御を行うことで安定的な通信を行っている。
【００１６】
この周期的なセルサーチ及びセル監視動作をいかに少なくしつつ安定的な通信を実現することが低消費電力化の重要な要素となる。
【００１７】
特許文献１には、受信レベル変動を検出し、受信環境の急激な変化が起きた場合、セル探索の起動を短くする移動通信端末が開示されている。
【００１８】
また、特許文献２，３には、回線接続履歴情報を検索し、次に移動するであろうセルを予測し、ハンドオーバの判断を実行する装置及びハンドオーバ方法が開示されている。いずれも、不必要なセル探索、セル受信レベル測定、ハンドオーバ制御を判定し、それを行わないことで低消費電力化を図るものである。
【特許文献１】特開平１０−１２６８３０号公報
【特許文献２】特開２００４−２８９２２６公報
【特許文献３】特開２００１−１６９３２３公報
【発明の開示】
【発明が解決しようとする課題】
【００１９】
しかしながら、このような従来の移動通信端末にあっては、すべての受信環境で適切なセル探索及びセル受信レベル測定頻度を設定することが難しく、移動通信における通信品質の面から、通信断の可能性を小さくするため、低消費電流化を犠牲にして無駄な場合があることがわかっていても、ある程度の頻度でセル探索、セル受信レベル測定を行っているのが実情である。
【００２０】
図９は、周辺セルサーチ頻度決定を説明する図であり、制御の結果、ある特定のユーザの移動端末の電池消費が著しく早くなる例を示す。図９において、基地局２０は、セルＣｅｌｌ＃Ａによりサービスエリアを構成する。このサービスエリア内を移動する移動端末３０は、セルＣｅｌｌ＃Ａをなんとか受信できる範囲に長時間滞在するものとする。長時間滞在する場所は、例えばセルＣｅｌｌ＃Ａからかろうじて受信できる境界地点にある住居や滞在先である。また、近傍の基地局は１局のみであり、周辺セルは１セルしかない。
【００２１】
移動端末３０は、通信中でなくても、待機中は一定の間隔で唯一受信可能なセルＣｅｌｌ＃Ａと定期的に通信している。しかし、通信できるセルＣｅｌｌ＃Ａの受信レベルが低いため、周辺に、より受信品質が良好なセルがないかを探索しようとする制御となる。この場合は、長時間滞在する場所の周りには他にセルが存在しないため、周辺セル探索をあきらめない制御を採用しない限り、周辺セル探索を繰り返し、無駄に電流を消費するという問題がある。同様に、セル受信レベル測定の頻度についても同じ問題がある。
【００２２】
ハンドオーバ制御については、特殊な環境においては、ハンドオーバ制御を行わない方が結果的に通信の途切れない結果が得られる場合がある。
【００２３】
図１０は、ハンドオーバ制御を行わない方が通信の途切れない場合を説明する図である。図１０において、ＣＤＭＡ方式で、２セルＣｅｌｌ＃Ａ，Ｃｅｌｌ＃Ｂのハンドオーバ状態で移動中の移動端末４０に対して、１セル（セルＣｅｌｌ＃Ａ）からの受信が建物Ｃの影に隠れほとんど見えなくなった場合、通常のハンドオーバ制御では、通信が良好と思われる１セル（セルＣｅｌｌ＃Ｂ）との通信が確保できているので、見えなくなったセルＣｅｌｌ＃Ａは削除する。ところが、その直後、移動端末４０が建物Ｃの影から移動し、見えなくなっていたセルＣｅｌｌ＃Ａが見えると同時に、今まで受信良好だったセルＣｅｌｌ＃Ｂが建物Ｄの影に隠れてしまう場合を考える。その場合は、一旦削除したセルＣｅｌｌ＃Ａを再度測定し、受信レベルが高くなったことを知り、セルＣｅｌｌ＃Ａを追加するまでは通信が復帰しない。この例では、セルＣｅｌｌ＃Ａの削除というハンドオーバ制御をしなければ、断続的に通信できている可能性が高いが、移動端末４０では、それを知る手段がないため、通信が途切れるという問題があった。
【００２４】
また、逆に、ハンドオーバ制御を行うには条件は満たさないが、早急にハンドオーバ制御を行わないと通信断となる特殊な地域も存在するという問題があった。
【００２５】
さらに、電車や船などの乗り物にマイクロセルの基地局を設置していた場合、その乗り物に乗っている間は周辺セルサーチやハンドオーバする必要はほとんどなく、無駄な処理を行っていることになるという問題があった。
【００２６】
本発明は、かかる点に鑑みてなされたものであり、セルサーチ又はセル受信レベルの測定などの無駄な制御を行わず、低消費電力を実現し、かつ、通信品質向上させることができる通信端末装置及びハンドオーバ方法を提供することを目的とする。
【課題を解決するための手段】
【００２７】
本発明の通信端末装置は、ハンドオーバ先基地局を検索するセルサーチ手段と、前記基地局との通信に使用する無線信号とは異なる特定の無線信号を受信する受信手段と、受信した前記特定の無線信号からセルサーチの状態を制御するセルサーチ制御情報を検出する検出手段と、前記セルサーチ制御情報が検出されたとき、前記セルサーチ手段により実行される周辺セルの検索の頻度を下げる又は停止する制御を行う制御手段とを備える構成を採る。
【００２８】
また、本発明の通信端末装置は、ハンドオーバ先基地局を検索するセルサーチ手段と、  前記基地局との通信に使用する無線信号から、特定のスクランブリングコードを検出する検出手段と、前記特定のスクランブリングコードに基づいて前記セルサーチ手段を制御する制御手段とを備える構成を採る。
【００２９】
本発明のハンドオーバ方法は、ハンドオーバ先基地局を検索するステップと、前記基地局との通信に使用する無線信号とは異なる特定の無線信号を受信するステップと、受信した前記特定の無線信号からセルサーチ制御情報を検出するステップと、前記セルサーチ制御情報が検出されたとき、周辺セルの検索の頻度、若しくはセルの受信状態を監視する頻度を下げる又は停止する制御を行うステップとを有する。
【００３０】
本発明のハンドオーバ方法は、ハンドオーバ先基地局を検索するステップと、特定の領域に設置された擬似セルから送信される特定のスクランブリングコードを検出するステップと、前記擬似セルから送信された特定のスクランブリングコードに基づいてセル削除の制限を含むハンドオーバ制御を行うステップとを有する。
【発明の効果】
【００３１】
本発明によれば、特定の地域における通信端末装置の無駄な動作を抑制することができ、低消費電力を図ることができる。
【００３２】
また、特定の地域における通信断などの原因となるハンドオーバ制御を変更し、安定的な通信を行うことができる。
【００３３】
その結果、低消費電力化を実現することができ、かつ、通信品質向上させることができる。
【発明を実施するための最良の形態】
【００３４】
以下、本発明の一実施の形態について、図面を参照して詳細に説明する。
【００３５】
（実施の形態１）
図１は、本発明の実施の形態１に係る通信端末装置の受信装置のアンテナから復調までの機能を示すブロック図である。
【００３６】
図１において、受信装置１００は、無線通信を行う携帯電話機／ＰＨＳ（Personal Handy-Phone System）や携帯情報端末（以下、ＰＤＡ（Personal Digital Assistants）という）などの通信端末装置であり、通信に使用する無線信号とは別の特定の無線信号を受信できる。特定の無線信号とは、具体的にはキャリア以外のネットワークを用いるBluetooth（登録商標）、ＵＷＢ（Ultra Wideband）、又は無線ＬＡＮ（Local Area Network）の各サービスで使用する無線信号である。図１では、通信端末装置として携帯電話機を例に採っている。
【００３７】
受信装置１００は、アンテナ１０１、ＲＦ回路１０２、セルサーチ回路１０３、受信レベル測定回路１０４、復調回路１０５、受信状態監視回路１０６、特定無線信号受信用アンテナ１１１、ＲＦ回路１１２、対象信号検出回路１１３、対象信号監視回路１１４、及びセルサーチ頻度判定回路１１５を備えて構成される。
【００３８】
セルサーチ回路１０３は、セルサーチ頻度判定回路１１５からの頻度指定に従い、自機の周辺の未知セル探索を行う。
【００３９】
受信レベル測定回路１０４は、図示しない制御部の指示に従って、既知セルの受信状態を測定し、セルサーチ頻度判定回路１１５に出力する。
【００４０】
復調回路１０５は、図示しない制御部の指示に従って、復調処理を行い、通信チャネルの受信品質を受信状態監視回路１０６に出力する。
【００４１】
受信状態監視回路１０６は、通信チャネルの受信品質を監視し、セルサーチ頻度判定回路１１５に必要な情報を出力する。
【００４２】
セルサーチ頻度判定回路１１５は、図２で述べるアルゴリズムにより、セルサーチ回路１０３に対し頻度指定を行う。
【００４３】
上記アンテナ１０１、ＲＦ回路１０２、セルサーチ回路１０３、受信レベル測定回路１０４、復調回路１０５及び受信状態監視回路１０６は、それぞれ前記図８のアンテナ１１、ＲＦ回路１２、セルサーチ回路１３、受信レベル測定回路１４、復調回路１５及び受信状態監視回路１６と同様の機能を有する。
【００４４】
特定無線信号受信用アンテナ１１１は、通信に使用する無線信号とは別の特定の無線信号、例えばBluetooth（登録商標）による特定無線電波を受信する。
【００４５】
ＲＦ回路１１２は、受信装置１００であらかじめ設定している特定の無線信号を受信するためのＲＦ回路であり、特定無線信号受信用アンテナ１１１からの信号を処理し、それを対象信号検出回路１１３と対象信号監視回路１１４に出力する。ＲＦ回路１１２は、ＲＦ回路１０２とは使用周波数帯や変調方式等が異なるため別個の無線制御部とする必要がある。
【００４６】
対象信号検出回路１１３は、ＲＦ回路１１２からの信号を基に、受信装置１００であらかじめ設定している特定の無線信号を検出し、検出信号を対象信号監視回路１１４に通知する。
【００４７】
対象信号監視回路１１４は、対象信号検出回路１１３の検出結果とＲＦ回路１１２からの信号を基に、受信装置１００であらかじめ設定している特定の無線信号を監視する。具体的には、受信レベルの測定とその受信判定を行い、判定結果をセルサーチ頻度判定回路１１５に通知する。
【００４８】
セルサーチ頻度判定回路１１５は、図２で後述するアルゴリズムに従い、セルサーチ頻度を決定する。
【００４９】
以下、上述のように構成された通信端末装置の動作について説明する。
【００５０】
図２は、周辺セルサーチ頻度を決定するアルゴリズムを示すフローチャートである。図７に示すアルゴリズムと同じ要素には同一ステップ番号を付している。
【００５１】
まず、ステップＳ１１で通信に使用する無線信号とは別の特定の信号が受信できているか否かを判別し、特定の信号が受信できているときはステップＳ１２でセルサーチ頻度判定回路１１５は対象信号監視回路１１４からの特定信号の受信有無情報によりセルサーチの頻度を大幅に下げる若しくはセルサーチを全くしない設定をセルサーチ回路１０３に出力する。一方、上記ステップＳ１１で通信に使用する無線信号とは別の特定の信号が受信できていない場合は、ステップＳ１で従来通りの判定を行い設定したセルサーチ頻度をセルサーチ回路１０３に出力する。ステップＳ１を再び説明すると、通信中のセルの受信レベルが一定閾値を下回り、他に受信状態の良好なセルが検出できていない場合は、通信断になる可能性が高いため、周辺に存在するかもしれない受信状態が良好な未知セルを検出しようとし、セルサーチの頻度を上げる。また、移動速度が速い場合は、受信状態の良いセルが短時間に替わっていくことが予想され、将来有効になるセルを早期に見つけておくことが、通信断を起こしにくい端末を実現する手段となるため、セルサーチの頻度を上げる。受信良好なセルを複数セル検出しており、移動速度も速くない場合は、例え１セルの受信状態が悪くなっても、代替の受信良好なセルが存在している可能性があるので、セル探索の頻度を下げて、消費電流を抑える。
【００５２】
すなわち、本アルゴリズムは、特定の信号を受信できていない場合は、従来と同じアルゴリズムであり、特定の信号を受信できている場合は、セルサーチの頻度を大幅に下げる若しくは全くしない設定を行う。
【００５３】
図３は、本実施の形態の通信端末装置の効果を説明する図であり、図９に対応する図である。
【００５４】
図３において、受信装置１００を携帯するユーザは、図示しない基地局のセルＣｅｌｌ＃Ａからの送信波１２０がなんとか受信できる範囲にある住居１３０に滞在している。住居１３０には、この住居内だけに、特定の無線信号を送信できるように調整した送信装置１４０が設置されている。送信装置１４０は、狭小領域において特定の無線信号を送信する無線ＬＡＮ、Bluetooth（登録商標）を採用した送信基地局であり、特定無線信号が受信できる領域１５０を有する。
【００５５】
受信装置１００は、上記特定無線信号を受信して認識できる状態にあり、特定無線信号が受信できているときは、セルサーチの頻度を大幅に下げる若しくはセルサーチを全くしない設定を行う。
【００５６】
これにより、受信装置１００は、領域１５０内に滞在する限り、無駄なセルサーチ動作を行わなくなり、電池消耗を抑えることが可能になる。
【００５７】
また、受信レベル測定の頻度についても、セルサーチ同様な制御を行っており、セルサーチ頻度判定と同様な構成及びアルゴリズムを適用することにより、無駄な受信レベル測定を削減することができ、低消費電力化が可能となる。
【００５８】
以上はセルサーチ動作の消費電力削減と受信レベル測定の精度向上についての効果であるが、特定の無線信号を検出／監督をセルサーチ動作及び受信レベル測定以外に用いることも可能である。例えば、病院や図書館など公共の場所で発信や通信自体を制限させたい場合には、移動端末が共通の特定信号を受信できている間、発信及び通信を制限する機能を持たせる。この機能は全移動端末が備えることが好ましい。これにより、病院や図書館など公共の場所で発信を制限することが可能となる。
【００５９】
また、ユーザが特定の無線信号の設定や、特定の無線信号を受信した際の制御内容を予め設定する構成を採ることも可能である。例えば、本実施の形態では、通信に使用する無線信号とは別の特定の信号が受信できているときはセルサーチ頻度を変更しているが、特定の信号を受信した場合にどのようにハンドオーバ制御を行うかは任意に設定できる。
【００６０】
ここで、特定の無線信号として、無線ＬＡＮ、Bluetoothを採用することで、既存の設備を利用して実現が可能になる。近年、Bluetoothだけでなく小型チップ化により無線ＬＡＮ機能を備えた移動端末が登場しており、本実施の形態ではこれら元々局所的な範囲でしか受信できない無線ＬＡＮ機能等を流用することでコスト増加を招くことなく容易に実施することができる。
【００６１】
このように、特定の信号を登録するヒューマンインタフェースとして、受信装置１００が特定の無線信号として登録可能な、現在受信できているものをすべて探索して表示し、選択・設定できる手段を備えることで、ユーザの利便性が高められることになる。
【００６２】
また、乗り物内におけるマイクロセルの基地局設置における課題についても、乗り物内に同様に特定な無線信号を送信する装置を設置することで、無駄なセルサーチやハンドオーバを行わなくすることが可能になり、低消費電力化を図ることができる。
【００６３】
（実施の形態２）
実施の形態２は、基地局非同期のＣＤＭＡ通信方式のＷ−ＣＤＭＡ（Wideband Code Division Multiple Access) 方式で、特定の無線信号に、そのスクランブリングコードの同期用ＣＨ（ＰＳＣＨ＋ＳＳＣＨ）と共通パイロットＣＨ（ＣＰｉＣＨ）を設定した場合を例とする。その際、そのスクランブリングコードは、通常のセルでは使用しないことが前提である。
【００６４】
図４は、本発明の実施の形態２に係る通信端末装置の受信装置のアンテナから復調までの機能を示すブロック図である。本実施の形態の説明にあたり図１と同一構成要素には同一符号を付している。
【００６５】
図４において、受信装置２００は、アンテナ１０１、ＲＦ回路１０２、セルサーチ回路１０３、受信レベル測定回路１０４、復調回路１０５、受信状態監視回路１０６、及びセルサーチ頻度判定回路２０１を備えて構成される。
【００６６】
Ｗ−ＣＤＭＡの移動端末では、定期的にセルサーチ、既知セル受信レベル測定を行っており、その動作により、特定の信号として設定したスクランブリングコードの（擬似）セルも同じように検出・監視ができることになる。
【００６７】
図１の受信装置１００と異なるのは、特定の無線信号を検出・監視するブロックが別に設けられてないところである。すなわち、図１のＲＦ回路１１２が図４のＲＦ回路１０２で、図１の対象信号検出回路１１３が図４のセルサーチ回路１０３で、図１の対象信号監視回路１１４が図４の受信レベル測定回路１０４で、それぞれ代用できる。
【００６８】
したがって、特定の無線信号を検出・監視するための回路を増加させることなく、実施の形態１と同様の効果を得ることができる。本実施の形態は、上記効果に加えて、無線通信方式がＣＤＭＡ方式である通信晋端末装置に適用することで、さらに以下に述べるように移動中におけるハンドオーバ制御の実効を図ることができる。
【００６９】
図５は、本実施の形態の通信端末装置の効果を説明する図であり、図１０に対応する図である。また、図６は、特殊スクランブリングコード（ＳＣＮｏ）の一例を表にして示す図である。
【００７０】
図６の表に示すように、スクランブリングコード０ｘ００１０，０ｘ００２０，０ｘ００３０，０ｘ００４０，０ｘ００５０を特殊スクランブリングコードＮｏとし、その制御内容は表に示される。特殊ＳＣＮｏ＝０ｘ００１０，０ｘ００２０，０ｘ００３０，０ｘ００４０，０ｘ００５０を通常のセルでは使用しないこととし、各コードのセルを受信しているときに、ハンドオーバ制御する条件を変更する特殊制御内容を示している。
【００７１】
例えば、特殊ＳＣＮｏ＝０ｘ００１０では、ハンドオーバ制御する条件を変更する例としてｃｅｌｌのｄｅｌｅｔｅを制限する。これは、セルの信号が受信できていると判断している場合は、ハンドオーバ制御において通常なら受信レベルが低くなり削除すべきセルがあっても、削除しないように制御を変えることである。あるいは、特殊ＳＣＮｏ＝０ｘ００５０で示されるハンドオーバ制御条件の変更では、ｃｅｌｌのａｄｄをしやすくする。このように、特殊ＳＣＮｏを用いる制御内容は、特殊ＳＣＮｏ＝０ｘ００２０，０ｘ００３０，０ｘ００４０で示されるセルサーチ動作設定に加え、特殊ＳＣＮｏ＝０ｘ００１０，０ｘ００５０に示すようにハンドオーバ制御の条件を設定／変更する。上記特殊ＳＣＮｏの制御内容は、一例であり限定されるものではない。また、ユーザが上記特殊ＳＣＮｏの制御内容を選択設定する構成を採ることも可能である。ユーザがセルサーチ動作設定及びハンドオーバ制御条件を設定／変更することでユーザの意向に合った移動体通信が可能になる。例えば、図５のような特殊な環境において低消費電力化よりも通信断回避を優先させるなどのハンドオーバ制御が可能になる。また、個々のユーザが条件を個別に設定できることは、各ユーザでしか設定し得ないきめの細かいハンドオーバ制御が実現できる。
【００７２】
上記は一例であり、複数の特定無線信号毎に制御内容を変えて設定することも可能である。
【００７３】
このように特定のスクランブリングコードを設定しておき、該当の地域でスクランブリングコードが０ｘ００１０の擬似セルを設置する。設置に際しては、受信装置２００（以下、移動に着目するため「移動端末」と呼ぶ）の最大速度と、移動端末の周辺セル探索周期の最大間隔を考慮し、擬似セルの送信出力（移動端末が受信可能な領域）を決定する。
【００７４】
上記擬似セルでは、スクランブリングコード０ｘ００１０のＣＰｉＣＨとそのタイミングに合わせたＰＳＣＨ，ＳＳＣＨのみを送信する。
【００７５】
以下、移動端末（受信装置２００）が該当地域へ近づき、通過する場合の動作を説明する。
【００７６】
まず、移動端末が、擬似セルからの無線信号をまだ受信で来ていない場合、スクランブリングコードが特殊ＳＣＮｏ以外の通常のＳＣＮｏを持ったセルＣｅｌｌ＃Ａ、セルＣｅｌｌ＃Ｂの２つのセルと同時に通信している（ハンドオーバ）とする。その場合は、移動端末は、両方のセルからの信号をＲＡＫＥ受信し、品質良好な受信状態となっている。
【００７７】
次に、移動端末が、擬似セルからの無線信号を受信できる領域に侵入した場合、その後定期的なセル探索が行われ、擬似セルが検出できることになる。一旦、擬似セルが検出されると、その後、定期的なセル監視（受信レベル測定）が擬似セルのＳＣＮｏに対しても行われるようになり、受信できていると判断される間、ハンドオーバ制御のセル削除をしないように制限する。
【００７８】
移動端末が建物Ｃの影に入り、セルＣｅｌｌ＃Ａからの受信ができなくなると、定期セル監視で、セルＣｅｌｌ＃Ａからの受信レベルが低くなり受信できなくなったことがわかる。その後、一般的には、ある程度の時間の保護がかかり、その時間を超えても受信レベルが低いとセルＣｅｌｌ＃Ａを削除する制御となるが、セルの削除を制限する擬似セル０ｘ００１０が受信できているので、セルＣｅｌｌ＃Ａの削除は行われない。
【００７９】
さらに、移動端末が建物Ｃの影を脱しセルＣｅｌｌ＃Ａからの受信が可能となるとほぼ同時に建物Ｄの影に入りセルＣｅｌｌ＃Ｂからの受信ができない領域に入る場合、移動端末では、セルＣｅｌｌ＃Ａ、セルＣｅｌｌ＃Ｂのハンドオーバ状態にあるので、セル監視よりも短期間隔で定期的に行われているパスサーチが実施されれば速やかにセルＣｅｌｌ＃Ａからの受信ができるようになる。
【００８０】
一般的に、通信中のセルのセル監視間隔とそれ以外の既知セルのセル監視間隔は、
（通信中のセルのセル監視間隔）  ＜  （それ以外の既知セルのセル監視間隔）
の関係にあり、低消費電力化の観点及び処理性能制約から、その差はかなり大きく、
（通信中のセルのセル監視間隔）＝４０ｍｓ、（それ以外の既知セルのセル監視間隔）＝２００ｍｓが望ましいといわれている。
【００８１】
その後、建物Ｄの影から脱しセルＣｅｌｌ＃Ｂからの受信も良好なものとなり、最後に、擬似セルの受信領域から脱することで、通常制御に戻る。
【００８２】
このようにして、前記図１０で課題とされていた通信断を回避することができる。
【００８３】
また、逆に、図５におけるセルＣｅｌｌ＃Ａが移動端末に対して遠方にあり、建物Ｃの影に入る前にはセルＣｅｌｌ＃Ａはハンドオーバ対象とする受信レベルには達していない場合、建物Ｃの影になる前にハンドオーバ対象として追加しておくことで、セルＣｅｌｌ＃Ｂが建物Ｄの影で受信できなくなっても、通信が途切れなくなるという環境の場合は、セルＣｅｌｌ＃Ａが建物Ｃの影に入る直前の領域に、特殊ＳＣＮｏが０ｘ００５０の擬似セルを設置しておけば、その擬似セルを受信できている間は、ハンドオーバのセル追加をしやすい判定を行うので、建物Ｃの影に入る前にセルＣｅｌｌ＃Ａをハンドオーバ対象セルとして追加している可能性が高くなり、通信断を避けることが可能になる。
【００８４】
以上のように、本実施の形態によれば、セルサーチ又はセル受信レベルの測定などの無駄な動作を行わないことで、実施の形態１と同様に低消費電流化を図ることができる。また、通信に使用する無線信号とは別の特定の無線信号を検出／監視する必要がないため、小型な構成が可能となる。同様の理由で部品点数の増加を招くことがなく、低コストでしかも実施が容易という効果がある。
【００８５】
さらに、本実施の形態では、基地局非同期のＣＤＭＡ通信方式であって、特定のスクランブリングコードの同期ＣＨと共通パイロットＣＨだけを送信する擬似セルを、移動端末の一部の制御を変更したい特定の地域だけで受信できるように調整し、移動端末はその信号を受信できている間は、制御を変更することにより、図５に示すような特殊な環境下において原因となる制御（例えば、セルの削除の制限）を変更して、通信断を避けることが可能になる。
【００８６】
以上の説明は本発明の好適な実施の形態の例証であり、本発明の範囲はこれに限定されることはない。
【００８７】
なお、本発明の通信端末装置及びハンドオーバ方法は、上述の実施の形態に限定されるものではなく、本発明の要旨を逸脱しない範囲内において種々変更を加え得ることは勿論である。例えば、通信端末装置として携帯電話機等の移動端末としているが、携帯電話機に限らず無線通信機能を持った又はその融合された装置に適用可能である。また、無線通信のできる装置として、パソコンに代表される情報機器機能に融合された装置であってもよく、全てのシステムに適用可能である。また、通信方式はどのようなものであってもよい。
【００８８】
また、上記通信端末装置及び移動体通信システムを構成する各処理部等の種類、設定情報の種類・形式などは前述した実施形態に限られない。
【００８９】
また、本実施の形態では通信端末装置及びハンドオーバ方法という名称を用いたが、これは説明の便宜上であり、移動通信端末、ハンドオーバ制御方法装置等であってもよい。
【００９０】
また、以上説明したハンドオーバ方法は、この送信方法を機能させるためのプログラムでも実現される。このプログラムはコンピュータで読み取り可能な記録媒体に格納されている。
【産業上の利用可能性】
【００９１】
以上のように、本発明にかかる通信端末装置及びハンドオーバ方法は、特殊な環境での無駄な処理をなくすことを可能とし、かつ、通信品質を向上させることを可能にする移動体通信システムにおいて有用である。
【図面の簡単な説明】
【００９２】
【図１】本発明の実施の形態１に係る通信端末装置の受信装置のアンテナから復調までの機能を示すブロック図
【図２】上記実施の形態１に係る通信端末装置の周辺セルサーチ頻度を決定するアルゴリズムを示すフロー図
【図３】本実施の形態１に係る通信端末装置の効果を説明する図
【図４】本発明の実施の形態２に係る通信端末装置の受信装置のアンテナから復調までの機能を示すブロック図
【図５】上記実施の形態２に係る通信端末装置の効果を説明する図
【図６】上記実施の形態２に係る通信端末装置の特殊スクランブリングコード（ＳＣＮｏ）の一例を表にして示す図
【図７】従来の周辺セルサーチ頻度を決定するアルゴリズムの一例を示す図
【図８】従来の受信装置のアンテナから復調までの機能を示すブロック図
【図９】従来の周辺セルサーチ頻度決定を説明する図
【図１０】従来のハンドオーバ制御を行わない方が通信の途切れない場合を説明する図
【符号の説明】
【００９３】
１００，２００  受信装置
１０１  アンテナ
１０２，１１２  ＲＦ回路
１０３  セルサーチ回路
１０４  受信レベル測定回路
１０５  復調回路
１０６  受信状態監視回路
１１１  特定無線信号受信用アンテナ
１１３  対象信号検出回路
１１４  対象信号監視回路
１１５，２０１  セルサーチ頻度判定回路
【図１】
2007027877.tif 000003
【図２】
2007027877.tif 000004
【図３】
2007027877.tif 000005
【図４】
2007027877.tif 000006
【図５】
2007027877.tif 000007
【図６】
2007027877.tif 000008
【図７】
2007027877.tif 000009
【図８】
2007027877.tif 000010
【図９】
2007027877.tif 000011
【図１０】
2007027877.tif 000012